(57)【要約】【課題】仮に係止凹部の爪部が欠損した場合にも、据付け枠体の係止片を室内機の係止凹部に簡単に嵌合させることがきる、空気調和機を提供する。【解決手段】室内の壁に取り付けられた据付け枠体の係止片を室内機の係止凹部の爪部に嵌合させて該室内機を前記据付け枠体に取り付ける空気調和機において、前記室内機の係止凹部１００に嵌合する本体１０８と、該本体に形成されて前記係止凹部の爪部１０４の先端形状に倣う形状を有した補強爪部１０６と、前記本体に形成されて前記係止凹部の爪部奥端壁に係合する係合突起片１０７とを有する補強金具１０５を備え、室内機の係止凹部に装着した前記補強金具の補強爪部に据付け枠体の係止片を係合させて該室内機を据付け枠体に取付け可能とした。【選択図】図５
2008209095.tif 000002
【特許請求の範囲】
【請求項１】
室内の壁に取り付けられた据付け枠体の係止片を室内機の係止凹部の爪部に嵌合させて該室内機を前記据付け枠体に取り付ける空気調和機において、
前記室内機の係止凹部に嵌合する本体と、該本体に形成されて前記係止凹部の爪部の先端形状に倣う形状を有した補強爪部と、前記本体に形成されて前記係止凹部の爪部奥端壁に係合する係合突起片とを有する補強金具を備え、室内機の係止凹部に装着した前記補強金具の補強爪部に据付け枠体の係止片を係合させて該室内機を据付け枠体に取付け可能としたことを特徴とする空気調和機。
【請求項２】
前記据付け枠体が上部枠と下部枠とからなり、
前記室内機の係止凹部に装着した前記補強金具の補強爪部に前記下部枠の下部枠係止片を係合させて該室内機を据付け枠体に取付け可能としたことを特徴とする請求項１に記載の空気調和機。
【請求項３】
前記補強金具が前記係止凹部の爪部欠損時に使用されることを特徴とする請求項１又は２に記載の空気調和機。
【発明の詳細な説明】
【技術分野】
【０００１】
本発明は、据付け枠体を介して壁に取り付けられる空気調和機に関する。
【背景技術】
【０００２】
この種の空気調和機は、例えば特許文献１などに開示されており、室外機と共に空気調和機を構成する室内機は据付け枠体を介して室内の壁に取り付けられる。
【０００３】
部屋の壁に室内機を取り付けるときに背面カバーとして使用する据付け枠体は、例えばロの字状に形成され、この据付け枠体はその四辺を構成する側板を備えている。そして、空気調和機を設置するときには、室外機を戸外の適所に設置すると共に、室外機と室内機とを冷媒配管などにて接続する配管工事を行う。次に、室内機を室内の壁に取り付ける際には、据付け枠体を予め壁の適所に、例えば複数本のビスにより取り付ける。その後、室内機をこの据付け枠体に対向させ、室内機と冷媒配管などとの接続状態を確認しながら室内機を据付け枠体方向に移動させ、室内機の背部の周縁を据付け枠体に当接させ押し込み、複数本のビスにより室内機と据付け枠体とを固定する。
【特許文献１】特許第２９１９７２１号公報
【発明の開示】
【発明が解決しようとする課題】
【０００４】
ところで、従来、室内機と据付け枠体とをビスにより固定する前に、据付け枠体の係止片を室内機の係止凹部の爪部に嵌合させて、室内機と据付け枠体とを仮固定している。しかし、係止凹部の爪部は樹脂製であり、工場出荷後に梱包、搬送時の衝撃等により該爪部が欠損する場合があった。該爪部の欠損時には、従来、特殊な金具を係止凹部にねじ止めして、該金具に据付け枠体の係止片を仮止めしているが、金具のねじ止め作業が困難であり、作業者に無用な労作を強いていた。
そこで、本発明の目的は、上述した従来の技術が有する課題を解消し、仮に係止凹部の爪部が欠損した場合にも、据付け枠体の係止片を室内機の係止凹部に簡単に嵌合させることがきる、空気調和機を提供することにある。
【課題を解決するための手段】
【０００５】
本発明によれば、室内の壁に取り付けられた据付け枠体の係止片を室内機の係止凹部の爪部に嵌合させて該室内機を前記据付け枠体に取り付ける空気調和機において、前記室内機の係止凹部に嵌合する本体と、該本体に形成されて前記係止凹部の爪部の先端形状に倣う形状を有した補強爪部と、前記本体に形成されて前記係止凹部の爪部奥端壁に係合する係合突起片とを有する補強金具を備え、室内機の係止凹部に装着した前記補強金具の補強爪部に据付け枠体の係止片を係合させて該室内機を据付け枠体に取付け可能としたことを特徴とするものである。
【０００６】
本発明では、補強金具の本体を係止凹部に向けて押し込むだけで、該係止凹部内に簡単に装着することができ、装着後には、補強金具が、爪部の先端形状に倣った補強爪部を有するため、該補強爪部を利用して、係止片を係合することにより、室内機の背面に据付け枠体を簡単に取り付けできる。
【０００７】
この場合において、前記据付け枠体が上部枠と下部枠とからなり、前記室内機の係止凹部に装着した前記補強金具の補強爪部に前記下部枠の下部枠係止片を係合させて該室内機を据付け枠体に取付け可能としてもよい。また、前記補強金具が前記係止凹部の爪部欠損時に使用されるものであってもよい。
【発明の効果】
【０００８】
本発明では、室内機の係止凹部に嵌合する本体と、該本体に形成されて係止凹部の爪部の先端形状に倣う形状を有した補強爪部と、本体に形成されて係止凹部の爪部奥端壁に係合する係合突起片とを有する補強金具を備えたため、仮に爪部が欠損する事態が発生しても、従来のように手間がかからず、簡易に対応が可能になる。
【発明を実施するための最良の形態】
【０００９】
以下、本発明の一実施の形態を図面に基づき説明する。
図１において、１は、室外機に冷媒配管にて接続される室内機であり、この室内機１は前部２と後部３とからなり、前部の前面には空気吸込口４が形成され、下部には吹出口５が形成され、室外機（図示せず）に配管接続される。６は、室内の壁７に固定された据付け枠体であり、室内機１は据付け枠体６を介して壁７に据付られる。
【００１０】
１１及び１２は共に配管カバー１０により覆われた冷媒配管、１３及び１４は夫々入口側温水配管及び出口側温水配管である。そして、配管カバー１０（冷媒配管１１、１２）は後部３に設けられた断面コの字形状のスタンド１５に支持され、入口側温水配管１３及び出口側温水配管１４は夫々据付け枠体６に上下に間隔を存して設けられた断面Ｌ字状の配管押さえ１６、１７により支持されている。
【００１１】
以下、前記据付け枠体６の構成について説明する。据付け枠体６は、図２に示すように、複数の金属板を例えば溶接して形成された上部枠２１と下部枠２２とから構成され、上部枠２１は壁７或いは壁７に取り付けられた取付け用の板（図示せず）に取り付けられる取付け板２３と、この取付け板２３の左右両側縁及び上縁から折曲して延びた左右の側板２４、２５及び上板２６とから構成されている。取付け板２３には上部枠２１を壁７などに取り付けるための複数のビス貫通孔２７が形成されている。
【００１２】
また、前記上板２６には、折曲された先端が上方に向いた係止部である上部枠係止片２８、２８が形成され、左右の側板２４、２５の下端には、くの字状に折曲して下方に延び弾性を有した上部嵌合部である上部嵌合片３１、３２が対向し、且つその折曲部（頂点）３３、３４がそれぞれ外方向を向くように形成されている。
【００１３】
前記取付け板２３は夫々間隔を存して例えば溶接により取り付けられた支持板３７、３８、３９と、これらの支持板３７、３８、３９の下端に例えば溶接により取り付けられた接続板４１とを備えている。各支持板３７、３８、３９には、複数の取り付け用のビス貫通孔４２が形成され、左側の支持板３７には上下に位置をずらして、前記配管押さえ１６、１７が形成されている。また、右側の支持板３９にはドレンパイプ６７の断面Ｌ字状の支持部４３が形成されている。接続板４１の左右両部には折曲して前方へ延びた接続部である接続片４４、４５が形成され、各接続片４４、４５には接続用ビスの上部枠側貫通孔４６、４７が形成されている。
【００１４】
一方、下部枠２２は、Ｌ字形状を呈し下板５１と左右の側板５２、５３とから構成され、下板５１の左右両部には上部枠２１の接続片４４、４５に形成された上部枠側貫通孔４６、４７に対向した接続用ビスの下部枠側貫通孔５４、５５が形成されている。また、下板５１の上縁には下部枠係止片５６、５６が形成され、下部枠係止片５６、５６は室内機１の係止凹部１００（図３参照。）に対応している。
【００１５】
左右の側板５２、５３の上端には、上嵌合片３１、３２に対応し、且つくの字状に折曲して上方へ延び弾性を有した下部嵌合部である下部嵌合片５７、５８が対向し、且つその折曲部（頂点）６１、６２が上部嵌合片３１、３２の折曲部３３、３４と同様に外方向を向くように形成されている。また、下部枠２２の下板５１の複数箇所にはフランジ６３が形成されている。
【００１６】
図３は、室内機１の樹脂製フレームを後部３の裏側から見た図である。上記据付け枠体６の下部枠係止片５６、５６が係合する係止凹部１００は、該フレーム１０１の下縁部に左右一対設けられている。係止凹部１００は、図４に示すように、フレーム１０１の下縁枠１０１ａの上面に対し、樹脂で一体形成された係止体１０２を備え、該係止体１０２は、図５Ａに示すように、下部枠係止片５６、５６を受け入れる開口部１０３と、該開口部１０３の入口上部に形成された爪部１０４とを含んでいる。
【００１７】
本実施の形態では、図４及び図５に示すように、係止凹部１００に嵌合自在な補強金具１０５がオプションとして準備されている。
該補強金具１０５は、図５Ｂ，Ｃ，Ｄに示すように、一枚の鋼板をプレス加工し、折り曲げ加工して形成されており、係止凹部１００に嵌合するコ字状の本体１０８と、本体１０８に形成されて係止凹部１００の爪部１０４の先端形状に倣う形状を有した補強爪部１０６と、本体１０８に形成されて係止凹部１００の爪部奥端壁１０４ａに係合する係合突起片１０７とを備えている。
そして、補強金具１０５は、図５Ｂに示すように、コ字状の本体１０８を係止凹部１００に向けて挿入し、図５Ｃに示すように、本体１０８が係止凹部１００の最深部に至ると、係合突起片１０７が爪部奥端壁１０４ａに係合して係止凹部１００内に抜け出し不能に固定される。
【００１８】
以下、室内機１の壁７への取付方法について説明する。
まず、図６に示すように、据付け枠体６を構成する一方の上部枠２１を壁７に取り付ける。この場合、複数の取付用のビス６０を各ビス貫通孔２７及び４２に通して取り付ける。なお、６５は壁７に予め形成した冷媒配管と温水配管との開口部（以下、「配管開口部」という）、６６は同じく壁７に予め形成したドレンパイプ６７の開口部（以下「ドレン開口部」という）である。
【００１９】
次に、図７に示すように、据付け枠体６の他方の下部枠２２を室内機１に仮固定する。この場合、下部枠２２の縁に形成されたフランジ６３を室内機１の内側に位置させ、室内機１の係止凹部１００に左右の下部枠係止片５６、５６を挟み込んで、室内機１の背面下部に下部枠２２を仮固定する。
【００２０】
この状態で、室内機１から延びた配管カバー１０（冷媒配管１１、１２）を配管開口部６５内に通すと共に、入口側温水配管１３及び出口側温水配管１４を夫々上部枠２１の配管押さえ１６、１７により支持させた状態にて配管開口部６５内に通す。また、ドレンパイプ６７をドレン開口部６６に通す。
そして、室内機１を斜めにした状態で、室内機１の裏面(背面)上部に形成された被係止部（図示せず）を上部枠２１の上部枠係止片２８に係止させ、室内機１をその上部にて上部枠２１に吊下げ支持させる。
【００２１】
その後、作業者は、上部枠係止片２８を支点として、室内機１を壁７へ向けて回動させる。このとき、入口側温水配管１３及び出口側温水配管１４を夫々上部枠２１の配管押さえ１６、１７により支持させると共に、ドレン開口部６６に通されたドレンパイプ６７を支持部４３に支持させる。この場合、作業者は、予め室内機１に取り付けられている下部枠２２と壁７との間隔から室内機１から延びた配管カバー１０（冷媒配管１１、１２）及び各温水配管１３、１４の状態、配管カバー１０（冷媒配管１１、１２）及び各温水配管１３、１４の配管開口部６５での状態、またドレンパイプ６７のドレン開口６６での状態を確認しつつ室内機１を回動させる。
【００２２】
そして、更に室内機１を回動すると、下部枠２２の左右両部の下部嵌合片５７、５８が、上部枠２１の左右両部の上部嵌合片３１、３２の外側に位置し、夫々を嵌合させながら室内機１を更に回動させることにより、下部枠２２が上部枠２１に接続される。その後、図７に示すように、ビス７０、７０を下部枠側貫通孔５４、５５及び上部枠側貫通孔４６、４７に螺入する。これにより、上記嵌合状態と併せ、下部枠２２が上部枠２１に確実に固定され、この結果、室内機１の下部が下部枠２２を介して上部枠２１に固体され、上部枠２１を介して壁７に固定される。
【００２３】
本実施の形態では、室内機１の取付け時に、室内機１の背面下部に下部枠２２を仮固定する場合、通常時には、図５Ａに示す樹脂製の爪部１０４に対し、左右の下部枠係止片５６、５６を直接的に係合して仮固定する。
【００２４】
しかし、室内機１の工場出荷後、搬送時の衝撃等で樹脂製の爪部１０４が欠損する場合がある。欠損時等には、図５Ｂ，Ｃに示すように、係止凹部１００に補強金具１０５が取り付けられる。該補強金具１０５は、コ字状の本体１０８を係止凹部１００に向けて押し込むだけで、該係止凹部１００内に簡単に装着することができ、装着後には、補強金具１０５が、爪部１０４の先端形状に倣った補強爪部１０６を有するため、該補強爪部１０６を利用して、下部枠係止片５６、５６を係合することにより、室内機１の背面下部に下部枠２２を仮固定することができる。
【００２５】
以上のように、本実施の形態では、補強金具１０５をオプションとして提供することにより、仮に樹脂製の爪部１０４が欠損する事態が発生しても、従来のように手間がかからず、簡易に対応が可能になる。
【００２６】
以上、本発明の一実施態様について説明したが、上述の説明に基づいて当業者にとって種々の代替例、修正又は変形が可能であり、本発明の趣旨を逸脱しない範囲で前述の種々の代替例、修正又は変形を包含するものである。例えば、上記構成では爪部１０４の欠損時に始めて補強金具１０５を使用したが、これに限定されず、始めから欠損の恐れがある爪部を係止凹部１００に設けず、室内機１の据え付け時には、必ず補強金具１０５を係止凹部１００に装着し、該補強金具１０５に下部枠係止片５６、５６を係合して仮固定するように構成してもよい。
【図面の簡単な説明】
【００２７】
【図１】一部破断せる室内機及び据付け枠体の側面図である。
【図２】上部枠及び下部枠の斜視図である。
【図３】室内機のフレームを裏から見た図である。
【図４】フレームに形成した係止部を示す斜視図である。
【図５】Ａは係止部の断面図、Ｂは係止部に補強金具を挿入する前の状態を示す断面図、Ｃは装着後の断面図、Ｄは補強金具の斜視図である。
【図６】上部枠の壁への取付け状態を示す斜視図である。
【図７】室内機取付け時の途中の状態を示す斜視図である。
【符号の説明】
【００２８】
１  室内機
６  据付け枠体
７  壁
５６  下部枠係止片（係止片）
１００  係止凹部
１０１  フレーム
１０２  係止体
１０３  開口部
１０４  爪部
１０４ａ  爪部奥端壁
１０５  補強金具
１０６  補強爪部
１０７  係合突起片
１０８  本体
【図１】
2008209095.tif 000003
【図２】
2008209095.tif 000004
【図３】
2008209095.tif 000005
【図４】
2008209095.tif 000006
【図５】
2008209095.tif 000007
【図６】
2008209095.tif 000008
【図７】
2008209095.tif 000009